(57)【特許請求の範囲】
【請求項１】
圧縮機、凝縮器、過冷却熱交換器、主膨張手段、蒸発器が環状に接続された冷媒回路と、前記過冷却熱交換器と前記主膨張手段の間又は前記凝縮器と前記過冷却熱交換器の間で前記冷媒回路から分岐し、前記過冷却熱交換器を経由して前記蒸発器と前記圧縮機との間の前記冷媒回路に接続したバイパス路と、
前記バイパス路の前記過冷却熱交換器の上流側に設けたバイパス膨張手段と、
前記圧縮機から吐出する冷媒の温度を検出する第１温度センサと、
前記冷媒回路において前記蒸発器から流出する冷媒の温度を検出する第２温度センサと、制御装置と、を備え、
前記第１温度センサで検出される温度が所定の温度より低く、かつ、前記第２温度センサで検出された温度から算出される前記蒸発器出口の過熱度が所定の過熱度以上のとき、前記バイパス膨張手段を流れる冷媒量を少なくするように制御することを特徴とする冷凍サイクル装置。
【請求項２】
前記圧縮機に吸入される冷媒の圧力を検出する圧力センサを設け、前記圧力センサで検出された圧力から、前記圧縮機に吸入される冷媒の圧力における飽和温度を算出し、
前記算出した飽和温度と前記第２温度センサで検出された温度とから、前記蒸発器出口の過熱度を算出することを特徴とする請求項１に記載の冷凍サイクル装置。
【請求項３】
前記蒸発器出口での過熱度が大きくなるほど、前記バイパス膨張手段の変更開度を大きくするように設定したことを特徴とする請求項１または２に記載の冷凍サイクル装置。
【請求項４】
前記第１温度センサで検出される温度が所定の温度より低く、かつ、前記第２温度センサで検出された温度から算出される前記蒸発器出口の過熱度が所定の過熱度以上のとき、前記主膨張手段を流れる冷媒量を多くするように制御することを特徴とする請求項１から３のいずれか１項に記載の冷凍サイクル装置。
【請求項５】
前記第１温度センサで検出される温度が所定の温度より低く、かつ、前記第２温度センサで検出された温度から算出される前記蒸発器出口の過熱度が予め設定された所定の過熱度以上で、さらに、前記圧力センサで検出される圧力が所定圧力値以下のとき、前記主膨張
手段を流れる冷媒量を多くするように制御することを特徴とする請求項４に記載の冷凍サイクル装置。
【請求項６】
前記圧力センサで検出される圧力が所定圧力値より低くなるほど、前記主膨張手段の変更開度を大きくするように設定したことを特徴とする請求項４または５に記載の冷凍サイクル装置。
【請求項７】
請求項１〜６のいずれか１項に記載の冷凍サイクル装置を備えた温水暖房装置。
【発明の詳細な説明】
【技術分野】
【０００１】
本発明は、凝縮器から流出した冷媒の一部をバイパスし、主流冷媒とバイパス流冷媒との間で熱交換を行って主流冷媒を過冷却する冷凍サイクル装置および温水暖房装置に関する。
【背景技術】
【０００２】
従来、この種の冷凍サイクル装置および温水暖房装置は冷媒回路の凝縮器の下流側に過冷却熱交換器が設けられ、この過冷却熱交換器に膨張させた冷媒を流入させることにより凝縮器から流出した冷媒を過冷却している（例えば、特許文献１参照）。
【０００３】
図４は、特許文献１に記載された従来の冷凍サイクル装置を示すものである。
【０００４】
図４に示すように、冷凍サイクル装置１００は、冷媒を循環させる冷媒回路１１０と、バイパス路１２０とを備えている。冷媒回路１１０は、圧縮機１１１、凝縮器１１２、過冷却熱交換器１１３、主膨張弁１１４および蒸発器１１５が配管により環状に接続されて構成されている。
【０００５】
バイパス路１２０は、過冷却熱交換器１１３と主膨張弁１１４の間で冷媒回路１１０から分岐し、過冷却熱交換器１１３を経由して蒸発器１１５と圧縮機１１１の間で冷媒回路１１０につながっている。また、バイパス路１２０には、過冷却熱交換器１１３よりも上流側にバイパス膨張弁１２１が設けられている。
【０００６】
さらに、冷凍サイクル装置１００には、圧縮機１１１から吐出される冷媒の温度（吐出温度）Ｔｄを検出する温度センサ１４１と、蒸発器１１５に流入する冷媒の温度（蒸発器入口温度）Ｔｅを検出する温度センサ１４２と、バイパス路１２０において過冷却熱交換器１１３に流入する冷媒の温度（バイパス側入口温度）Ｔｂｉを検出する温度センサ１４３と、バイパス路１２０において過冷却熱交換器１１３から流出する冷媒の温度（バイパス側出口温度）Ｔｂｏを検出する温度センサ１４４と、温度センサ１４２で検出される蒸発器入口温度Ｔｅから圧縮機の吐出管の目標温度Ｔｄ（ｔａｒｇｅｔ）が設定され、温度センサ１４１で検出された吐出温度Ｔｄが、その目標温度Ｔｄ（ｔａｒｇｅｔ）となるように主膨張弁１１４を制御する主膨張弁制御部と、過冷却熱交換器１１３でのバイパス側出口温度Ｔｂｏとバイパス側入口温度Ｔｂｉとの差（Ｔｂｏ−Ｔｂｉ）が所定の目標値となるようにバイパス膨張弁１２１を制御するバイパス膨張弁制御部から構成されている。
【先行技術文献】
【特許文献】
【０００７】
【特許文献１】特開平１０−６８５５３号公報
【発明の概要】
【発明が解決しようとする課題】
【０００８】
しかしながら、前記従来の構成では、バイパスの運転効率向上効果を最大限得るためにバイパス路１２０出口の冷媒状態を湿り状態に調整する場合は、乾き度を制御することができないのでバイパス側流量が成り行きとなる。そのため主流冷媒とバイパス流冷媒の混合された圧縮機吸入冷媒によって略決定される（他の変化要因がない場合）吐出温度Ｔｄが目標温度Ｔｄ（ｔａｒｇｅｔ）付近であっても、合流前の主流側とバイパス側の冷媒循環量が適正ではない、効率の悪い冷凍サイクル状態で主膨張弁の制御が収束する可能性がある。この場合は、蒸発器１１５での吸熱量が十分に得られないし、過冷却熱交換器１１３が十分に作用しないために、蒸発器１１５でのエンタルピー差増大効果と、バイパスによる低圧側配管の圧力損失低減効果が小さくなり、効率が悪く、加熱能力が十分でない冷凍サイクル状態を長時間維持してしまうという課題を有していた。
【０００９】
特に主流側冷媒の循環量が過多となりバイパス流側冷媒の循環量が過少となった場合は、吐出温度Ｔｄが目標温度Ｔｄ（Ｔａｒｇｅｔ）より低下するため、主膨張弁１１４が閉方向に制御され、運転効率がさらに低下するばかりか、圧縮機吸入圧力の低下や液バックが発生し、圧縮機が損傷する可能性があり、システムの信頼性が低下するという課題を有していた。
【００１０】
本発明は、前記従来の課題を解決するもので、適正な冷凍サイクル状態に迅速に制御することで、加熱能力を向上させることができる冷凍サイクル装置および温水暖房装置を提供することを目的とする。
【課題を解決するための手段】
【００１１】
前記従来の課題を解決するために、本発明の冷凍サイクル装置は、圧縮機、凝縮器、過冷却熱交換器、主膨張手段、蒸発器が環状に接続された冷媒回路と、前記過冷却熱交換器と前記主膨張手段の間又は前記凝縮器と前記過冷却熱交換器の間で前記冷媒回路から分岐し、前記過冷却熱交換器を経由して前記蒸発器と前記圧縮機との間の前記冷媒回路に接続したバイパス路と、前記バイパス路の前記過冷却熱交換器の上流側に設けたバイパス膨張手段と、前記圧縮機から吐出する冷媒の温度を検出する第１温度センサと、前記冷媒回路において前記蒸発器から流出する冷媒の温度を検出する第２温度センサと、制御装置と、を備え、前記第１温度センサで検出される温度が所定の温度より低く、かつ、前記第２温度センサで検出された温度から算出される前記蒸発器出口の過熱度が所定の過熱度以上のとき、前記バイパス膨張手段を流れる冷媒量を少なくするように制御することを特徴とするものである。
【００１２】
これによって、圧縮機から吐出する冷媒の温度と蒸発器出口での過熱度から、不適正な冷媒の流量配分（バイパス流冷媒の循環量が過多であり、主流冷媒の循環量が過少である）による効率の悪い冷凍サイクル状態に主膨張手段およびバイパス膨張手段が制御されていることが判断でき、この場合に、バイパス膨張手段を強制的に所定操作量閉じるので、バイパス流冷媒の循環量が減少するとともに主流冷媒の循環量が増加して、迅速に冷媒分配が改善され、蒸発器における吸熱量の増加と、過冷却熱交換器での主流冷媒とバイパス流冷媒との熱交換による蒸発器におけるエンタルピー差増大効果および冷媒のバイパスによる低圧側冷媒経路の圧力損失低減効果を迅速に十分活用することができ、効率が良く、十分な加熱能力を得ることができる冷凍サイクル装置を提供できる。
【発明の効果】
【００１３】
本発明の冷凍サイクル装置および温水暖房装置は、主流側冷媒流量とバイパス流側冷媒流量の不適正な配分を判断して、常に適正な流量配分に迅速に制御するので、蒸発器における吸熱量の十分な確保と、過冷却熱交換器での主流冷媒とバイパス流冷媒との熱交換による蒸発器におけるエンタルピー差増大効果および冷媒のバイパスによる低圧側冷媒経路の圧力損失低減効果を最大とすることが可能となり、より高い運転効率と低外気温度時においても十分な加熱能力を得ることができる冷凍サイクル装置および温水暖房装置を提供できる。
【図面の簡単な説明】
【００１４】
【図１】本発明の実施の形態１における冷凍サイクル装置の概略構成図
【図２】図１に示す冷凍サイクル装置のモリエル線図
【図３】本発明の実施の形態１における冷凍サイクル装置の運転制御のフローチャート
【図４】従来の冷凍サイクル装置の概略構成図
【発明を実施するための形態】
【００１５】
第１の発明は、圧縮機、凝縮器、過冷却熱交換器、主膨張手段、蒸発器が環状に接続された冷媒回路と、前記過冷却熱交換器と前記主膨張手段の間又は前記凝縮器と前記過冷却熱交換器の間で前記冷媒回路から分岐し、前記過冷却熱交換器を経由して前記蒸発器と前記圧縮機との間の前記冷媒回路に接続したバイパス路と、前記バイパス路の前記過冷却熱交換器の上流側に設けたバイパス膨張手段と、前記圧縮機から吐出する冷媒の温度を検出する第１温度センサと、前記冷媒回路において前記蒸発器から流出する冷媒の温度を検出する第２温度センサと、制御装置と、を備え、前記第１温度センサで検出される温度が所定の温度より低く、かつ、前記第２温度センサで検出された温度から算出される前記蒸発器出口の過熱度が所定の過熱度以上のとき、前記バイパス膨張手段を流れる冷媒量を少なくするように制御することを特徴とする冷凍サイクル装置である。
【００１６】
これによって、バイパス流冷媒の循環量が過多であり、主流冷媒の循環量が過少である不適正な冷媒分配による効率の悪い冷凍サイクル状態であることが判断でき、この場合に、バイパス膨張手段を強制的に所定操作量閉じるので、バイパス流冷媒の循環量が減少するとともに主流冷媒の循環量が増加して、冷媒流量配分が改善される。したがって、蒸発器における吸熱量の十分な確保と、過冷却熱交換器での主流冷媒とバイパス流冷媒との熱交換による蒸発器におけるエンタルピー差増大効果および冷媒のバイパスによる低圧側冷媒経路の圧力損失低減効果を十分活用することができ、高い運転効率と低外気温度時においても十分な加熱能力を得ることができる。
【００１７】
また、第１温度センサで検出される温度が所定の温度より低く、かつ、第２温度センサで検出された温度から算出される蒸発器出口の過熱度が所定の過熱度以上のとき、バイパス膨張手段を流れる冷媒量を少なくするように制御することを特徴とするものである。
【００１８】
これにより、圧縮機から吐出する冷媒の温度が目標とする温度以下であり、蒸発器出口での過熱度が過大となった場合に、バイパス流冷媒の循環量が過多であり、主流冷媒の循環量が過少である不適正な冷媒分配による効率の悪い冷凍サイクル状態であることが、より正確に判断できるため、誤判断による効率低下がなく、第１の発明の効果をより高くすることができる。
【００１９】
第２の発明は、特に、第１の発明において、前記圧縮機に吸入される冷媒の圧力を検出する圧力センサを設け、前記圧力センサで検出された圧力から、前記圧縮機に吸入される
冷媒の圧力における飽和温度を算出し、前記算出した飽和温度と前記第２温度センサで検出された温度とから、前記蒸発器出口の過熱度を算出することを特徴とするもので、圧力センサで検出される圧力から、圧縮機に吸入される冷媒の圧力での飽和温度を算出することにより、蒸発器出口での過熱度を、正確に算出することができる。
【００２０】
第３の発明は、特に、第１または第２の発明において、蒸発器出口での過熱度が大きくなるほど、バイパス膨張手段の変更開度を大きくするように設定することにより、蒸発器出口における過熱度から、冷媒流量配分の適正度合いの大小が判断でき、適正度合いに応じた操作量でバイパス膨張手段を閉じるので、制御応答性が向上する。したがって、迅速に上記発明の効果が得られ、快適性も向上できる。
【００２１】
第４の発明は、特に、第１から３のいずれかの発明において、第１温度センサで検出される温度が所定の温度より低く、かつ、第２温度センサで検出された温度から算出される蒸発器出口の過熱度が所定の過熱度以上のとき、主膨張手段を流れる冷媒量を多くするように制御することにより、バイパス膨張手段が閉操作されても主膨張手段が開操作となるので、主膨張手段の絞りすぎによる吸入圧力の異常低下を防止でき、上記発明の効果に加え、圧縮機の信頼性が向上できる。
【００２２】
第５の発明は、特に第４の発明において、第１温度センサで検出される温度が所定の温度より低く、かつ、第２温度センサで検出された温度から算出される蒸発器出口の過熱度が予め設定された所定の過熱度以上で、さらに、圧力センサで検出される圧力が所定圧力値以下のとき、主膨張手段を流れる冷媒量を多くするように制御することにより、圧力センサの検出値から、吸入圧力が低下していることを判断するので、主膨張手段が絞りすぎている状態に限定して主膨張手段を開けることができる。したがって、吸入圧力の異常低下を確実に防止しながら、より迅速に流量配分を改善でき、上記発明の効果をさらに向上させることができる。
【００２３】
第６の発明は、特に第４または第５の発明において、圧力センサで検出される圧力が所定圧力値より低くなるほど、主膨張手段の変更開度を大きくするように設定したことにより、バイパス膨張手段の閉操作時に、吸入圧力の低下状態に応じた開操作量となるので、運転状態や負荷状態の変化による吸入圧力の急激な変化にも迅速に対応することができ、上記発明の効果における圧縮機信頼性を特に向上することができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における冷凍サイクル装置および温水暖房装置の概略構成図を示すものである。図１において、冷凍サイクル装置１Ａは、冷媒を循環させる冷媒回路２と、バイパス路３と、制御装置４とを備えている。冷媒としては、例えば、Ｒ４０７Ｃ等の非共沸混合冷媒、Ｒ４１０Ａ等の擬似共沸混合冷媒、または単一冷媒等を用いることができる。
【００２６】
冷媒回路２は、圧縮機２１、凝縮器２２、過冷却熱交換器２３、主膨張弁（主膨張手段）２４および蒸発器２５が配管により環状に接続されて構成されている。本実施の形態では、蒸発器２５と圧縮機２１の間に、気液分離を行うサブアキュムレータ２６および主アキュムレータ２７が設けられている。また、冷媒回路２には、通常運転とデフロスト運転を切り換えるための四方弁２８が設けられている。
【００２７】
本実施の形態では、冷凍サイクル装置１Ａが、加熱手段により生成した温水を暖房に利
用する温水暖房装置の加熱手段を構成しており、凝縮器２２が、冷媒と水との間で熱交換を行わせて水を加熱する熱交換器となっている。
【００２８】
具体的には、凝縮器２２に供給管７１と回収管７２が接続されており、供給管７１を通じて凝縮器２２に水が供給され、凝縮器２２で加熱された水（温水）が回収管７２を通じて回収されるようになっている。回収管７２により回収された温水は、例えばラジエータ等の暖房機に直接的または貯湯タンクを介して送られ、これにより暖房が行われる。
【００２９】
バイパス路３は、過冷却熱交換器２３と主膨張弁２４の間で冷媒回路２から分岐し、過冷却熱交換器２３を経由して蒸発器２５と圧縮機２１の間で冷媒回路２につながっている。本実施の形態では、サブアキュムレータ２６と主アキュムレータ２７の間でバイパス路３が冷媒回路２につながっている。また、バイパス路３には、過冷却熱交換器２３よりも上流側にバイパス膨張弁（バイパス膨張手段）３１が設けられている。
【００３０】
通常運転では、圧縮機２１から吐出された冷媒が四方弁２８を介して凝縮器２２に送られ、デフロスト運転では、圧縮機２１から吐出された冷媒が四方弁２８を介して蒸発器２５に送られる。図１では、通常運転時の冷媒の流れ方向を実線矢印で示している。以下、通常運転における冷媒の状態変化を説明する。
【００３１】
圧縮機２１から吐出された高圧冷媒は、凝縮器２２に流入し、凝縮器２２を通過する水に放熱する。凝縮器２２から流出した高圧冷媒は、過冷却熱交換器２３に流入し、バイパス膨張弁３１で減圧された低圧冷媒によって過冷却される。過冷却熱交換器２３から流出した高圧冷媒は、主膨張弁２４側とバイパス膨張弁３１側とに分配される。
【００３２】
主膨張弁２４側に分配された高圧冷媒は、主膨張弁２４によって減圧されて膨張した後に、蒸発器２５に流入する。蒸発器２５に流入した低圧冷媒は、ここで空気から吸熱する。
【００３３】
一方、バイパス膨張弁３１側に分配された高圧冷媒は、バイパス膨張弁３１によって減圧されて膨張した後に、過冷却熱交換器２３に流入する。過冷却熱交換器２３に流入した低圧冷媒は、凝縮器２２から流出した高圧冷媒によって加熱される。その後、過冷却熱交換器２３から流出した低圧冷媒は、蒸発器２５から流出した低圧冷媒と合流し、再度、圧縮機２１に吸入される。
【００３４】
本実施の形態の冷凍サイクル装置１Ａの構成は、低外気温度時に圧縮機２１に吸入される冷媒の圧力が低下して冷媒循環量が減少し、これにより凝縮器２２の加熱能力が低下することを防止するためのものである。
【００３５】
これを実現するには、過冷却により蒸発器２５でのエンタルピー差を増大させるとともに、バイパス路３によって冷媒をバイパスさせることにより冷媒回路２の低圧側部分を流れる吸熱効果の小さい気相冷媒の量を抑え、これにより冷媒回路２の低圧側部分での圧力損失を低減させることが重要である。
【００３６】
冷媒回路２の低圧側部分での圧力損失が低減すれば、その分、圧縮機２１に吸入される冷媒の圧力が上昇して比体積が減少するため、冷媒循環量が増加する。また、蒸発器２５でのエンタルピー差を増大させれば、バイパスにより蒸発器２５を通過する冷媒の質量流量が低下したとしても、蒸発器２５での吸熱量を確保することができる。すなわち、冷媒の過冷却度とバイパス量を最大にすれば、最大限の凝縮器２２の加熱能力向上効果と冷凍サイクル装置１Ａの成績係数向上効果が得られる。
【００３７】
本実施の形態では、詳しくは後述するが、バイパス流側の冷媒循環量が過多となり、主流側の冷媒循環量が過少となった、不適正な冷媒流量配分となったときに、バイパス膨張弁３１が所定開度閉じ、主膨張弁２４が所定開度開くように制御される。従って、バイパス路３において、バイパス流側の冷媒循環量は減少し、過冷却熱交換器２３から流出した冷媒の状態は、図２中にａ点で示すような乾き度の小さい状態からａ′点で示すような飽和状態に近づく。
【００３８】
一方、蒸発器２５では主流側冷媒の循環量が増加するため、蒸発器２５を流出した冷媒の状態は、図２中のｂ点で示すような過熱状態からｂ′点で示すような飽和状態に近づくことになる。すなわち、過冷却熱交換器２３が十分に作用し、蒸発器２５でのエンタルピー差増大効果とバイパスによる圧力損失低減効果が十分に得られる状態で、蒸発器２５における吸熱量が増加するとともに、圧縮機２１の吐出冷媒温度が適正に確保されることとなる。
【００３９】
以下、運転制御の動作について説明する。冷媒回路２には、圧縮機２１に吸入される冷媒の圧力（吸入圧力）Ｐｓを検出する圧力センサ５１と、圧縮機２１から吐出される冷媒の温度（吐出温度）Ｔｄを検出する第１温度センサ６１と、蒸発器２５から流出する冷媒の温度（蒸発器出口温度）Ｔｅｏを検出する第２温度センサ６２とが設けられている。一方、バイパス路３には、過冷却熱交換器２３から流出する冷媒の温度（バイパス路出口温度）Ｔｂｏを検出する第３温度センサ６３が設けられている。
【００４０】
制御装置４は、第１制御装置４Ａおよび第２制御装置４Ｂを備え、各種のセンサ、圧力センサ５１、第１温度センサ６１、第２温度センサ６２、第３温度センサ６３で検出される検出値等に基づいて、圧縮機２１の回転数、四方弁２８の切り換え、ならびに主膨張弁２４およびバイパス膨張弁３１の開度を制御する。
【００４１】
本実施の形態では、第１制御装置４Ａは、通常運転時に、第３温度センサ６３で検出されるバイパス路出口温度Ｔｂｏと圧力センサ５１で検出される吸入圧力Ｐｓに基づいて算出されるバイパス路３出口での過熱度ＳＨｂが予め定められた所定の過熱度（バイパス過熱度制御目標値）となるように、バイパス膨張弁３１を制御するとともに、第１温度センサ６１で検出される温度が予め定められた所定の温度より低く、かつ、第２温度センサ６２で検出される蒸発器出口温度Ｔｅｏと圧力センサ５１で検出される吸入圧力Ｐｓに基づいて算出される蒸発器２５出口での過熱度ＳＨｅが予め定められた所定の過熱度（蒸発器過熱度制御目標値）以上となった場合に、予め定められた所定の第１操作量閉じるようにバイパス膨張弁３１を制御する。
【００４２】
また、第２制御装置４Ｂは、通常運転時に、第１温度センサ６１で検出される吐出温度Ｔｄが予め定められた所定の温度（吐出温度制御目標値）となるように、主膨張弁２４を制御するとともに、第１温度センサ６１で検出される温度が予め定められた所定の温度より低く、かつ第２温度センサ６２で検出される蒸発器出口温度Ｔｅｏと圧力センサ５１で検出される吸入圧力Ｐｓに基づいて算出される蒸発器２５出口での過熱度ＳＨｅが予め定められた所定の過熱度以上であり、かつ圧力センサ５１で検出される吸入圧力Ｐｓが予め定められた所定の圧力以下となった場合に、予め定められた所定の第２操作量開くように主膨張弁２４を制御する。
【００４３】
次に、通常運転時の制御装置４の制御を図３に示すフローチャートを参照して詳細に説明する。
【００４４】
まず、制御装置４は、第１温度センサ６１で吐出温度Ｔｄを、第２温度センサ６２で蒸発器出口温度Ｔｅｏを、第３温度センサ６３でバイパス路出口温度Ｔｂｏを検出する（ス
テップＳ１）。
【００４５】
ついで、制御装置４は、圧力センサ５１で吸入圧力Ｐｓを検出する（ステップＳ２）とともに、検出した吸入圧力Ｐｓから圧縮機２１に吸入される冷媒の圧力での飽和温度ＳＴｓを算出する（ステップＳ３）。この飽和温度ＳＴｓの算出は、冷媒物性式を用いて行われる。その後、制御装置４は、ＳＨｅ＝Ｔｅｏ−ＳＴｓ、により蒸発器２５出口での過熱度ＳＨｅを、ＳＨｂ＝Ｔｂｏ−ＳＴｓ、によりバイパス路３出口での過熱度ＳＨｂを算出する（ステップＳ４）。
【００４６】
ここで、制御装置４は、吐出温度Ｔｄが予め定められた所定の吐出温度より低いか否かを判定する（ステップＳ５）。
【００４７】
吐出温度Ｔｄが予め定められた所定の吐出温度以上の場合には（ステップＳ５でＮＯ）、バイパス側冷媒循環量が適正もしくは少なめの状態であり、通常制御での流量分配調整が可能な領域であると考えられるため、制御装置４は、過熱度ＳＨｂが過熱度制御目標値となるようにバイパス膨張弁３１の開度を調整し（ステップＳ６）、つぎに、吐出温度Ｔｄが吐出温度制御目標値となるように主膨張弁２４の開度を調整して（ステップＳ７）、ステップＳ１に戻る。
【００４８】
一方、吐出温度Ｔｄが予め定められた所定の吐出温度より低い場合には（ステップＳ５でＹＥＳ）、バイパス側冷媒循環量が過多である可能性があるので、制御装置４は、冷媒分配が適正な状態か否かを判定するために、蒸発器２５出口での過熱度ＳＨｅが予め定められた所定の過熱度以上か否かを判定する（ステップＳ８）。
【００４９】
蒸発器２５出口での過熱度ＳＨｅが予め定められた所定の過熱度より小さい場合には（ステップＳ８でＮＯ）、冷凍サイクル状態が過渡的な状態にあり、膨張弁による全体的な減圧量が不足していると考えられるため、制御装置４は、過熱度ＳＨｂがバイパス過熱度制御目標値となるようにバイパス膨張弁３１の開度を調整し（ステップＳ６）、つぎに、吐出温度Ｔｄが吐出温度制御目標値となるように主膨張弁２４の開度を調整して（ステップＳ７）、ステップＳ１に戻る。
【００５０】
一方、蒸発器２５出口での過熱度ＳＨｅが予め定められた所定の過熱度以上の場合には（ステップＳ８でＹＥＳ）、主流側冷媒は、図２中に示す点ｂの状態（流量不足により過熱度過大）、バイパス側冷媒は、点ａの状態（流量過多により湿り過ぎ）であり、蒸発器２５と過冷却熱交換器２３の性能が十分に活用できていないと考えられるため、制御装置４は、バイパス膨張弁３１の開度を予め定められた所定の第１操作量閉じる（ステップＳ９）。
【００５１】
その後、制御装置４は、吸入圧力Ｐｓが予め定められた所定の圧力以下か否かを判定する（ステップＳ１０）。ステップＳ１０でＮＯの場合には、主膨張弁２４の開度は適正であると考えられるため、そのままステップＳ１に戻る。
【００５２】
一方、ステップＳ１０でＹＥＳの場合には、主膨張弁２４の開度は過小であると考えられるため、制御装置４は、バイパス膨張弁３１の開度を予め定められた所定の第２操作量開けて（ステップＳ１１）、ステップＳ１に戻る。
【００５３】
以上のように、本実施の形態においては、冷媒回路２において圧縮機２１から吐出する冷媒の温度を検出する第１温度センサ６１と、蒸発器２５から流出する冷媒の温度を検出する第２温度センサ６２と、圧縮機２１に吸入される冷媒の圧力を検出する圧力センサ５１と、バイパス路３において過冷却熱交換器２３から流出する冷媒の温度を検出する第３
温度センサ６３と、第３温度センサ６３で検出されるバイパス路出口温度と圧力センサ５１で検出される吸入圧力に基づいて算出されるバイパス路３出口での過熱度が予め定められた所定の過熱度となるように、バイパス膨張弁３１を制御するとともに、第１温度センサ６１で検出される温度が予め定められた所定の温度より低く、かつ、蒸発器２５出口での過熱度が予め定められた所定の過熱度以上となった場合に、予め定められた所定の第１操作量閉じるようにバイパス膨張弁３１を制御する、第１制御装置４Ａを備えた構成とする。
【００５４】
これにより、圧縮機２１から吐出する冷媒の温度と蒸発器２５出口での過熱度から、不適正な冷媒流量配分（バイパス流冷媒の循環量が過多であり、主流冷媒の循環量が過少である）による効率の悪い冷凍サイクル状態であることが判断でき、この場合に、バイパス膨張弁３１を強制的に所定操作量閉じるので、バイパス流冷媒の循環量が減少するとともに主流冷媒の循環量が増加して、冷媒循環量を迅速に適正な配分にできる。したがって、蒸発器における吸熱量の十分な確保と、過冷却熱交換器での主流冷媒とバイパス流冷媒との熱交換による蒸発器におけるエンタルピー差増大効果および冷媒のバイパスによる低圧側冷媒経路の圧力損失低減効果を十分活用することができ、高い運転効率と低外気温度時においても十分な加熱能力を得ることができる。
【００５５】
また、本実施の形態では、通常運転時に、第１温度センサ６１で検出される吐出温度が予め定められた所定の温度となるように、主膨張弁２４を制御するとともに、第１温度センサ６１で検出される温度が予め定められた所定の温度より低く、かつ第２温度センサ６２で検出される蒸発器出口温度と圧力センサ５１で検出される吸入圧力に基づいて算出される蒸発器２５出口での過熱度が予め定められた所定の過熱度以上であり、かつ圧力センサ５１で検出される吸入圧力が予め定められた所定の圧力以下となった場合に、予め定められた所定の第２操作量開くように主膨張弁２４を制御する、第２制御装置４Ｂを備えた構成とする。
【００５６】
これにより、圧力センサ５１の検出値から、吸入圧力が低下していることを判断するので、主膨張手段が絞りすぎの状態に限定して主膨張手段を開けることができる。したがって、吸入圧力の異常低下を確実に防止しながら、より迅速に流量配分を改善でき、上記発明の効果に加え、圧縮機の信頼性が向上できる。
【００５７】
また、本実施の形態の所定の第１操作量を、蒸発器２５出口での過熱度が大きくなるほど操作量が大きくなるように、蒸発器２５出口での過熱度に応じて定める構成をとることにより、蒸発器２５出口での過熱度から、冷媒分配の適正度合いの大小が判断でき、適正度合いに応じた操作量でバイパス膨張弁３１を閉じるので、制御応答性が向上する。したがって、迅速に上記発明の効果が得られ、快適性も向上できる。
【００５８】
また、本実施の形態の所定の第２操作量を、圧力センサ５１で検出される圧力が所定の圧力値より低くなるほど操作量が大きくなるように、圧力に応じて定めることにより、圧力低下状態に応じた開操作量となるので、運転状態や負荷状態の変化による吸入圧力の急激な変化にも迅速に対応することができ、上記発明の効果における圧縮機信頼性を特に向上することができる。
【００５９】
なお、図１では、圧力センサ５１が冷媒回路２におけるバイパス路３がつながる位置と主アキュムレータ２７の間に設けられているが、圧力センサ５１は、蒸発器２５と圧縮機２１の間であれば冷媒回路２のどの位置に設けられていてもよい。あるいは、圧力センサ５１は、バイパス路３の過冷却熱交換器２３よりも下流側に設けられていてもよい。
【００６０】
また、本実施の形態では、バイパス路３出口での過熱度ＳＨｂが目標値になるようにバ
イパス膨張弁３１が制御されているが、バイパス膨張弁３１を制御する方法はこれに限られるものではない。例えば、バイパス膨張弁３１は、過冷却熱交換器２３出口の温度または過冷却度が目標値になるように制御されてもよい。
【００６１】
あるいは、バイパス膨張弁３１を凝縮器２２出口での冷媒の過冷却度に基づいて制御することも可能である。
【００６２】
また、バイパス路３は、必ずしも過冷却熱交換器２３と主膨張弁２４の間で冷媒回路２から分岐している必要はなく、凝縮器２２と過冷却熱交換器２３の間で冷媒回路２から分岐していてもよい。
【００６３】
さらに、本発明の主膨張手段およびバイパス膨張手段は、必ずしも膨張弁である必要はなく、膨張する冷媒から動力を回収する膨張機であってもよい。この場合、例えば、膨張機と連結された発電機によって負荷を変化させることにより、膨張機の回転数を制御すればよい。
【産業上の利用可能性】
【００６４】
本発明は、冷凍サイクル装置によって温水を生成し、その温水を暖房に利用する温水暖房装置に特に有用である。
【符号の説明】
【００６５】
１Ａ  冷凍サイクル装置
２  冷媒回路
３  バイパス路
４  制御装置
４Ａ  第１制御装置
４Ｂ  第２制御装置
２１  圧縮機
２２  凝縮器
２３  過冷却熱交換器
２４  主膨張弁（主膨張手段）
２５  蒸発器
３１  バイパス膨張弁（バイパス膨張手段）
５１  圧力センサ
６１  第１温度センサ
６２  第２温度センサ
【図１】
0005533491.tif 000002
【図２】
0005533491.tif 000003
【図３】
0005533491.tif 000004
【図４】
0005533491.tif 000005